(57)【要約】【課題】レンチヘッドの角度を調整することができる角度調整可能なレンチヘッドを提供する。【解決手段】角度調整可能なレンチヘッドは、レンチ柄体１０、調整部材２０及び可動レンチヘッド３０を備える。レンチ柄体１０は、一端部に取付け部１１が形成される。取付け部１１はＵ字状開口部１１１を有する。Ｕ字状開口部１１１の両側壁には枢着ピン１２を挿設する枢着孔１１２が互いに対向するように形成され、内底壁の一方の壁に近接した箇所には取外し孔溝１３が形成される。調整部材２０は両側端に揺動端２１がそれぞれ形成される。揺動端２１間には畳み部２２が形成される。調整部材２０は畳み部２２を介してレンチ柄体１０の取付け部１１に取付けられ、揺動端２１がＵ字状開口部１１１の両側に配設される。畳み部２２の一側壁にはＵ字状開口部１１１の内底壁に対応した取付け孔溝２２１が形成される。【選択図】図２
0003188570.tif 000002
【実用新案登録請求の範囲】
【請求項１】
レンチ柄体、調整部材及び可動レンチヘッドを備えた角度調整可能なレンチヘッドであって、
前記レンチ柄体は一端部に取付け部が形成され、前記取付け部はＵ字状開口部を有し、前記Ｕ字状開口部の両側壁には枢着ピンを挿設する枢着孔が互いに対向するように形成され、内底壁の一方の壁に近接した箇所には取外し孔溝が形成され、
前記調整部材は両側端に揺動端がそれぞれ形成され、前記揺動端間には畳み部が形成され、前記調整部材は前記畳み部を介して前記レンチ柄体の前記取付け部に取付けられ、前記揺動端が前記Ｕ字状開口部の両側に配設され、前記畳み部の一側壁には前記Ｕ字状開口部の内底壁に対応した取付け孔溝が形成され、前記取付け孔溝には弾性部材と位置決め部材とが組み合わされて配設されるとともに、前記畳み部の他側壁には連続鋸歯状の噛合歯が形成され、
前記可動レンチヘッドは取付け凸部を有し、前記取付け凸部には軸孔が横向きに穿設され、前記取付け凸部の前記Ｕ字状開口部に対応した表面には、連続鋸歯状の噛合歯が形成されていることを特徴とする角度調整可能なレンチヘッド。
【請求項２】
前記取付け部の前記Ｕ字状開口部の内底壁の他方の壁に近接した箇所には、位置決め孔が形成され、
前記位置決め孔は前記取外し孔溝より略浅いことを特徴とする請求項１に記載の角度調整可能なレンチヘッド。
【請求項３】
前記可動レンチヘッドは作動部を有することを特徴とする請求項１に記載の角度調整可能なレンチヘッド。
【請求項４】
前記作動部はラチェット開口レンチであることを特徴とする請求項３に記載の角度調整可能なレンチヘッド。
【請求項５】
前記作動部はビット受入凸部であることを特徴とする請求項３に記載の角度調整可能なレンチヘッド。
【考案の詳細な説明】
【技術分野】
【０００１】
本考案は、レンチ構造に関し、特に、角度調整可能なレンチヘッドに関する。
【背景技術】
【０００２】
レンチは、現代産業にとって必要不可欠なハンドツールの一つであり、普及率及び需要の高まりに伴い、レンチ構造の様式、種類も増えている（例えば、コンビネーションレンチ、ボックスレンチ、ラチェットレンチ、モンキーレンチなど）。しかし、市販されている一般のレンチ構造は、掴む部分である頭部の使用角度を調整することができず、ユーザの使用空間、作業する際の手の姿勢に応じて調整することができず、使用上の欠点及び不便があり、実用性に乏しくて消費者の購買意欲を高めることはできなかった。
【考案の概要】
【考案が解決しようとする課題】
【０００３】
本考案の目的は、レンチヘッドの角度を調整することができる角度調整可能なレンチヘッドを提供することにある。
【課題を解決するための手段】
【０００４】
上記課題を解決するために、本考案の第１の形態によれば、レンチ柄体、調整部材及び可動レンチヘッドを備えた角度調整可能なレンチヘッドであって、前記レンチ柄体は一端部に取付け部が形成され、前記取付け部はＵ字状開口部を有し、前記Ｕ字状開口部の両側壁には枢着ピンを挿設する枢着孔が互いに対向するように形成され、内底壁の一方の壁に近接した箇所には取外し孔溝が形成され、前記調整部材は両側端に揺動端がそれぞれ形成され、前記揺動端間には畳み部が形成され、前記調整部材は前記畳み部を介して前記レンチ柄体の前記取付け部に取付けられ、前記揺動端が前記Ｕ字状開口部の両側に配設され、前記畳み部の一側壁には前記Ｕ字状開口部の内底壁に対応した取付け孔溝が形成され、前記取付け孔溝には弾性部材と位置決め部材とが組み合わされて配設されるとともに、前記畳み部の他側壁には連続鋸歯状の噛合歯が形成され、前記可動レンチヘッドは取付け凸部を有し、前記取付け凸部には軸孔が横向きに穿設され、前記取付け凸部の前記Ｕ字状開口部に対応した表面には連続鋸歯状の噛合歯が形成されていることを特徴とする角度調整可能なレンチヘッドが提供される。
【０００５】
前記取付け部の前記Ｕ字状開口部の内底壁の他方の壁に近接した箇所には位置決め孔が形成され、前記位置決め孔は前記取外し孔溝より略浅いことが好ましい。
【０００６】
前記可動レンチヘッドは作動部を有することが好ましい。
【０００７】
前記作動部はラチェット開口レンチであることが好ましい。
【０００８】
前記作動部はビット受入凸部であることが好ましい。
【図面の簡単な説明】
【０００９】
【図１】本考案の一実施形態に係る角度調整可能なレンチヘッドを示す斜視図である。
【図２】本考案の一実施形態に係る角度調整可能なレンチヘッドを示す分解斜視図である。
【図３】本考案の他の実施形態に係る角度調整可能なレンチヘッドを示す分解斜視図である。
【図４】本考案の一実施形態に係る角度調整可能なレンチヘッドのモンキーレンチ頭部が位置決めされたときの状態を示す部分断面図である。
【図５】本考案の一実施形態に係る角度調整可能なレンチヘッドのモンキーレンチ頭部が位置決め位置から外れたときの状態を示す部分断面図である。
【図６】本考案の一実施形態に係る角度調整可能なレンチヘッドのモンキーレンチ頭部がレンチ柄体上で揺動するときの状態を示す模式図である。
【考案を実施するための形態】
【００１０】
以下、本考案の実施形態について図に基づいて説明する。なお、これによって本考案が限定されるものではない。
【００１１】
図１及び図２を参照する。図１及び図２に示すように、本考案の一実施形態に係る角度調整可能なレンチヘッドは、少なくともレンチ柄体１０、調整部材２０及び可動レンチヘッド３０から構成される。レンチ柄体１０の一端部には取付け部１１が形成されている。取付け部１１はＵ字状開口部１１１及び枢着ピン１２を有する。Ｕ字状開口部１１１は両側壁に枢着ピン１２を挿設する枢着孔１１２が互いに対向するように形成され、内底壁の一方の壁に近接した箇所には取外し孔溝１３が形成されている。内底壁の他方の壁に近接した箇所には位置決め孔１４が形成されている。位置決め孔１４は取外し孔溝１３より略浅い。調整部材２０の両側端には揺動端２１がそれぞれ形成され、揺動端２１間には畳み部２２が形成されている。調整部材２０は畳み部２２を介してレンチ柄体１０の取付け部１１に取付けられ、揺動端２１がＵ字状開口部１１１の両側に配設される。畳み部２２の一側壁にはＵ字状開口部１１１の内底壁に対応した取付け孔溝２２１が形成される。取付け孔溝２２１には弾性部材２３と位置決め部材２４とが組み合わされて配設されるとともに、畳み部２２の他方の側壁には連続鋸歯状の噛合歯２２２が設けられる。可動レンチヘッド３０は取付け凸部３１を有する。取付け凸部３１には軸孔３１１が横向きに穿設され、取付け凸部３１が取付けられるＵ字状開口部１１１の対応した表面には、連続した噛合歯３２が形成されている。可動レンチヘッド３０は作動部３３を有する。作動部３３はラチェット開口レンチ又はビット受入凸部である（図３参照）。
【００１２】
図２及び図４に示すように、本考案の一実施形態に係る角度調整可能なレンチヘッドのレンチ柄体１０の取付け部１１には、Ｕ字状開口部１１１を介して調整部材２０及び可動レンチヘッド３０が順次取付けられる。調整部材２０の畳み部２２の取付け孔溝２２１には、弾性部材２３及び位置決め部材２４が取付けられる。調整部材２０は、畳み部２２により取付け部１１のＵ字状開口部１１１に取付けられると、その位置決め部材２４は、弾性部材２３により当接されてＵ字状開口部１１１の内底壁の取外し孔溝１３又は位置決め孔１４に嵌入される。可動レンチヘッド３０は、取付け凸部３１を介してＵ字状開口部１１１内に取付けられ、軸孔３１１に両側の枢着孔１１２が位置合わせされて互いに連通し、枢着ピン１２を貫設させて枢着すると、枢着ピン１２を軸心として可動レンチヘッド３０が回動自在となり調整することができる。
【００１３】
図４に示すように、本考案の一実施形態に係る角度調整可能なレンチヘッドは、レンチを位置拘束させる際、Ｕ字状開口部１１１の一側で調整部材２０を揺動させる。Ｕ字状開口部１１１の内底壁には対応した箇所に位置決め孔１４が形成され、調整部材２０の位置決め部材２４は、弾性部材２３に当接され、位置決め孔１４に嵌入されて固定される。調整部材２０の他方の側部に形成された噛合歯２２２は、可動レンチヘッド３０の噛合歯３２と噛合されて固定され、レンチ柄体１０の取付け部１１上で可動レンチヘッド３０が位置拘束され、これにより可動レンチヘッド３０の作動部３３により部材などを締め付けたり緩めたりすることができる。
【００１４】
図５及び図６を参照する。図５及び図６に示すように、本考案の一実施形態に係る角度調整可能なレンチヘッドは、ユーザがレンチ柄体１０上で可動レンチヘッド３０の使用角度を調整する際、調整部材２０を他方向へ揺動させると、弾性部材２３が圧縮されて位置決め部材２４が位置決め孔１４から外れ、一方の側部へ向かって変位して取外し孔溝１３内に嵌入される。取外し孔溝１３は、位置決め孔１４より略深く、調整部材２０が他方の側部へ変位すると、位置決め部材２４が取外し孔溝１３に入って調整部材２０が下方へ変位し、調整部材２０の噛合歯２２２が噛合歯３２から外れて可動レンチヘッド３０が揺動自在となる。可動レンチヘッド３０は、枢着ピン１２を軸心として用いて左右に揺動させて使用角度を調整し、調整が完了した後、調整部材２０が揺動して元の位置まで回復し、噛合歯２２２と可動レンチヘッド３０の噛合歯３２とが噛合され、可動レンチヘッド３０の角度を調整することができる。
【００１５】
レンチ柄体１０と可動レンチヘッド３０との間には、調整部材２０が設けられる。この調整部材２０は、弾性部材２３と、レンチ柄体１０の取外し孔溝１３に組み合わせる位置決め孔１４とを有する。調整部材２０と可動レンチヘッド３０との間は、噛合歯２２２と噛合歯３２とが噛合され、ユーザが可動レンチヘッド３０の使用角度を調整する際、調整部材２０を揺動させて取外し孔溝１３内へ位置決め孔１４を嵌入させる。これにより調整部材２０が下方へ変位して噛合歯２２２が可動レンチヘッド３０の噛合歯３２から外れ、左右へ揺動させて可動レンチヘッド３０のレンチ柄体１０上の角度を調整し、調整した後に調整部材２０が揺動して回復し、噛合歯２２２と噛合歯３２との噛合により固定され、可動レンチヘッド３０の角度を調整することにより、構造の実用性を高めて理想的な使用状態を得る。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１０  レンチ柄体
１１  取付け部
１２  枢着ピン
１３  取外し孔溝
１４  位置決め孔
２０  調整部材
２１  揺動端
２２  畳み部
２３  弾性部材
２４  位置決め部材
３０  可動レンチヘッド
３１  取付け凸部
３２  噛合歯
３３  作動部
１１１  Ｕ字状開口部
１１２  枢着孔
２２１  取付け孔溝
２２２  噛合歯
３１１  軸孔
【図１】
0003188570.tif 000003
【図２】
0003188570.tif 000004
【図３】
0003188570.tif 000005
【図４】
0003188570.tif 000006
【図５】
0003188570.tif 000007
【図６】
0003188570.tif 000008